(57)【要約】      （修正有）【課題】柵の寸法によらず装着することができる収納部付ベッド柵用カバーを提供する。【解決手段】収納部付ベッド柵用カバー１は、外側部１１と、外側部と連続して一体に形成される内側部１２と、外側部或いは内側部の左端に連続して一体に形成される左帯部１３と、外側部或いは内側部の右端に連続して一体に形成される右帯部１４と、を有するカバー本体１ａを備える。カバー本体は、その表面側に収納部２，３，４を設け、少なくとも裏面側に折り込んだ左帯部１３の端部の一部と右帯部１４の端部の一部が重なる重なり部分を有し、重なり部分の重なり量が調整され、内側部或いは外側部が裏面側に折り込まれることによって、カバー本体が下端部に開口部１７を有する袋状に形成され、ベッド１００の寝床部１０２周囲の柵１０３，１０４，１０６に被せて装着される。【選択図】図１
0003188152.tif 000002
【実用新案登録請求の範囲】
【請求項１】
外側部と、
前記外側部と連続して一体に形成される内側部と、
前記外側部或いは前記内側部の左端に連続して一体に形成される左帯部と、
前記外側部或いは前記内側部の右端に連続して一体に形成される右帯部と、
を有するカバー本体を備え、
前記カバー本体は、その表面側に収納部を設け、少なくとも裏面側に折り込んだ前記左帯部の端部の一部と前記右帯部の端部の一部が重なる重なり部分を有し、
前記重なり部分の重なり量が調整され、前記内側部或いは前記外側部が裏面側に折り込まれることによって、前記カバー本体が下端部に開口部を有する袋状に形成され、ベッドの寝床部周囲の柵に被せて装着されることを特徴とする収納部付ベッド柵用カバー。
【請求項２】
前記カバー本体は、前記重なり部分を止着する止着部を備えることを特徴とする請求項１に記載の収納部付ベッド柵用カバー。
【請求項３】
前記カバー本体には、前記柵に装着された状態で、前記柵の上方の角部を露出させる開口穴部が設けられることを特徴とする請求項１または２に記載の収納部付ベッド柵用カバー。
【請求項４】
前記カバー本体は、前記開口部を閉じる連結固定部を備えることを特徴とする請求項１〜３のいずれかに記載の収納部付ベッド柵用カバー。
【請求項５】
前記柵は、ヘッドボード、フットボード、サイドレールのうちのいずれかであることを特徴とする請求項１〜４のいずれかに記載の収納部付ベッド柵用カバー。
【考案の詳細な説明】
【技術分野】
【０００１】
本考案は、ベッドの寝床部周囲の柵に装着する袋状のカバーに関する。
【背景技術】
【０００２】
一般に、介護用や療養用のケアベッドの寝床部の周囲には柵が設けられている。
【０００３】
ベッドの周辺では、テッシュペーパー、飲料容器、テレビやエアコンのリモートコントローラー等の様々な生活用品や介護用品が必要であるが、これらは、ベッドのサイドテーブルに置かれることが多いが、数が多いために乱雑になりがちであり、介護用や療養用以外のベッドでも小物や雑誌等が置かれることが多く、やはり乱雑になりがちである。
【０００４】
特許文献１には、ベッド周りで必要な物品を整理できる収納部付ベッド柵用カバーが開示されている。
【先行技術文献】
【特許文献】
【０００５】
【特許文献１】実用新案登録第３１１４０８０号公報
【考案の概要】
【考案が解決しようとする課題】
【０００６】
しかしながら、メーカーによってベッドの柵の寸法などが異なることから、都度柵の寸法などに合わせてカバーを作成する必要があったため、様々な柵に装着可能なカバーとするためには改善の余地があった。
【課題を解決するための手段】
【０００７】
本考案は、柵の寸法によらず装着させることができる収納部付ベッド柵用カバーの提供を目的とする。
【０００８】
即ち、本考案は下記［１］〜［５］に記載の構成を有する。
【０００９】
［１］  外側部と、
前記外側部と連続して一体に形成される内側部と、
前記外側部或いは前記内側部の左端に連続して一体に形成される左帯部と、
前記外側部或いは前記内側部の右端に連続して一体に形成される右帯部と、
を有するカバー本体を備え、
前記カバー本体は、その表面側に収納部を設け、少なくとも裏面側に折り込んだ前記左帯部の端部の一部と前記右帯部の端部の一部が重なる重なり部分を有し、
前記重なり部分の重なり量が調整され、前記内側部或いは前記外側部が裏面側に折り込まれることによって、前記カバー本体が下端部に開口部を有する袋状に形成され、ベッドの寝床部周囲の柵に被せて装着されることを特徴とする収納部付ベッド柵用カバー。
【００１０】
［２］  前記カバー本体は、前記重なり部分を止着する止着部を備えることを特徴とする前項１に記載の収納部付ベッド柵用カバー。
【００１１】
［３］  前記カバー本体には、前記柵に装着された状態で、前記柵の上方の角部を露出させる開口穴部が設けられることを特徴とする前項１または２に記載の収納部付ベッド柵用カバー。
【００１２】
［４］  前記カバー本体は、前記開口部を閉じる連結固定部を備えることを特徴とする前項１〜３のいずれかに記載の収納部付ベッド柵用カバー。
【００１３】
［５］  前記柵は、ヘッドボード、フットボード、サイドレールのうちのいずれかであることを特徴とする前項１〜４のいずれかに記載の収納部付ベッド柵用カバー。
【考案の効果】
【００１４】
上記［１］に記載の考案によれば、外側部と、外側部と連続して一体に形成される内側部と、外側部或いは内側部の左端に連続して一体に形成される左帯部と、外側部或いは内側部の右端に連続して一体に形成される右帯部と、を有するカバー本体を備え、カバー本体は、その表面側に収納部を設け、少なくとも裏面側に折り込んだ左帯部の端部の一部と右帯部の端部の一部が重なる重なり部分を有し、重なり部分の重なり量が調整され、内側部或いは外側部が裏面側に折り込まれることによって、カバー本体が下端部に開口部を有する袋状に形成され、ベッドの寝床部周囲の柵に被せて装着されるので、左帯部の端部及び右帯部の端部の少なくとも一部に設けられる重なり部分の重なり量を柵の寸法に合わせて調整することによって、柵の左右幅寸法に対応したカバーを形成することができ、柵の寸法に合わせて都度カバーを作成する必要がなくなる。
【００１５】
また、カバー本体の表面側に設けられた収納部に物品を収納することにより、乱雑になりがちなベッド周りを整理することができる。
【００１６】
上記［２］に記載の考案によれば、カバー本体は、重なり部分を止着する止着部を備えるので、止着部をカバー本体に止着固定させて、袋状の形状が崩れることなく、柵に被せるなどして容易にカバーを装着させることができる。
【００１７】
上記［３］に記載の考案によれば、カバー本体には、柵に装着された状態で、柵の上方の角部を露出させる開口穴部が設けられるので、柵の角部の形状に影響されることがないため、カバー本体を柵に装着させる際により装着させ易い。
【００１８】
また、開口穴部が設けられることで柵が露出した状態となる部位が生じるので、露出した部位を手すり代わりに使用することができ、布帛などで覆われた部位を手すり代わりに使用する場合と比較して、カバーがずれて滑るなどする虞が低減して安定して使用することができる。
【００１９】
上記［４］に記載の考案によれば、カバー本体は、開口部を閉じる連結固定部を備えるので、カバーが不本意に柵から外れることを防止できる。
【００２０】
上記［５］に記載の考案によれば、柵は、ヘッドボード、フットボード、サイドレールのうちのいずれかであるので、ヘッドボード、フットボード、サイドレールのうちのいずれにでも適用できる。
【図面の簡単な説明】
【００２１】
【図１】本考案に係る収納部付ベッド柵用カバーをサイドレール（柵）に装着した状態を説明する説明図である。
【図２】本考案に係る収納部付ベッド柵用カバーの表面側の展開図である。
【図３】本考案に係る収納部付ベッド柵用カバーの裏面側の展開図である。
【図４】本考案に係る収納部付ベッド柵用カバーの使用方法について説明するための説明図である。
【図５】本考案に係る収納部付ベッド柵用カバーをヘッドボード（柵）に装着した状態を説明する説明図である。
【考案を実施するための形態】
【００２２】
以下、図面を参照して、本考案の実施形態について説明する。
【００２３】
図１は、収納部付ベッド柵用カバー１をサイドレール１０６（柵）に装着した状態を説明する説明図、図２は、収納部付ベッド柵用カバー１の表面側の展開図、図３は、収納部付ベッド柵用カバー１の裏面側の展開図、図４は、収納部付ベッド柵用カバー１の使用方法について説明するための説明図、収納部付ベッド柵用カバー１をヘッドボード３０３（柵）に装着した状態を説明する説明図である。
【００２４】
図１に示すような本考案に係る収納部付ベッド柵用カバー１は、介護用ベッド１００などに設けられた柵１０３，１０４，１０６に装着される収納部付ベッド柵用カバー１である。
【００２５】
当該カバー１が装着される介護用ベッド１００は、寝床部１０２の頭側にヘッドボード１０３、足側にフットボード１０４が設けられ、さらに両側面に転落防止用のサイドレール１０６が設けられている。
【００２６】
サイドレール１０６は金属パイプの加工品であり、四角形のフレーム内に数本の支柱１０７が設けられているとともに、フレームの下横木に２本の取付用脚１０５が設けられている。
【００２７】
ベッド１００の下方両側面には、それぞれ頭部側または足側の２箇所に、サイドレール１０６の取付用脚１０５を挿し込むための挿入孔１０１ａを有するレールホルダー１０１が設けられ、頭部側、足側のどちらに対してもサイドレール１０６を脱着できるものとなされている。
【００２８】
以降では、一例として、収納部付ベッド柵用カバー１をサイドレール１０６に装着する場合について説明する。
【００２９】
尚、説明の便宜上、サイドレール１０６などの柵１０３，１０４，１０６が向き合っている側の面を内面或いは内側面、柵１０３，１０４，１０６が向き合っていない側の面、即ち寝床部１０２から外側方向に向かっている面を外面或いは外側面として説明する。
【００３０】
図２に示すように、収納部付ベッド柵用カバー１は、展開した状態で外側部１１、内側部１２及び左右帯部１３，１４が一連に連設されたカバー本体１ａを備える。
【００３１】
カバー本体１ａは、内側部１２が外側部１１と連続して一体に形成され、且つ左帯部１３及び右帯部１４が外側部１１の左右端にそれぞれ連続して一体に形成されている。
【００３２】
カバー本体１ａは、裏面側に折り込まれた左帯部１３及び右帯部１４の端部の少なくとも一部がそれぞれ重ねられた重なり部分を有し、当該重なり部分の重なり量が調整され、内側部１２が裏側面に折り込まれることによって、サイドレール１０６のフレームを覆い、下端部に開口部１７を有する長方形の袋状に形成される。
【００３３】
袋状に形成された状態で、外側部１１は、内側部１２及び左右帯部１３，１４の丈よりも長い丈となるように設けられ、内側部１２及び左右帯部１３，１４は、略同等の丈となるように設けられる。
【００３４】
カバー本体１ａは、その表面（カバー装着時に表側に露出する側の面：図面中、格子模様で表される面）の素材に、例えば、後述する止着部１２１，１３１の取付け及び取外しが可能な表面が起毛した布帛が用いられ、裏面（カバー装着時に柵に当接する側の面：図面中、格子模様で表される面の裏面）には、例えば、ポリエステルなどの化学繊維からなる布帛が用いられ、表面と裏面とで異なる素材が２枚重ねられて縫製されている。
【００３５】
図示する収納部付ベッド柵用カバー１は、カバー本体１ａの周縁部や、後述する収納部の縁部に縁取部が形成されている。
【００３６】
図３に示すように、内側部１２の裏面及び左帯部１３の裏面には、収納部付ベッド柵用カバー１の表面素材に取付可能に構成された複数の止着部１２１，１３１が設けられている。
【００３７】
止着部１２１，１３１は、面ファスナーなどの止着部材によって形成され、内側部１２の裏面及び左帯部１３の裏面に縫着されている。
【００３８】
カバー本体１ａは、袋状に形成される際、内側部１２及び左右帯部１３，１４を止着部１２１，１３１によって止着させることができる。
【００３９】
例えば、止着部１２１は、内側部１２の裏面端部及び裏面中央部にそれぞれ設けられ、止着部１３１は、左帯部１３の裏面角部にそれぞれ設けられる。
【００４０】
予め袋状に形成する場合、内側部１２及び左帯部１３に設けられた止着部１２１，１３１をカバー本体１ａの表面に止着固定させておくことで、柵１０６に被せて装着させる際に、袋状の形状を崩すことなく容易に装着させることができる。
【００４１】
尚、止着部１２１，１３１が設けられる箇所は、図示するものに限定されたものではなく、カバー本体１ａを袋状に形成するにあたり適当な箇所に配置されるのであればよい。
【００４２】
また、カバー本体１ａの表面の素材が、止着部１２１，１３１と止着可能なものでない場合には、止着部１２１，１３１と止着するように、カバー本体１ａの表面に止着部材を取付けるようにすればよい。
【００４３】
収納部付ベッド柵用カバー１は、カバー本体１ａの外側面に、布帛が縫着されてなる複数種の収納部２，３，４を備えている。
【００４４】
図１，２に基づいて、各収納部２，３，４について説明する。
【００４５】
両図面に向かって左端に配置された第１収納部２は、マチを大きくとって円筒形のペットボトルやウエットテッシュボックス等の嵩高品の収納に適したものである。
【００４６】
真中に配置された第２収納部３は、最も大きい収納部であり、箱入りテッシュペーパー２００を収納できるよう、浅い受け部３ａと、この受け部３ａの上方に縫着されたベルト３ｂを組み合わせてなるものである。
【００４７】
テッシュペーパーの箱２００を長手方向に差し入れると、受け部３ａの上端とベルト３ｂの間にテッシュペーパーの取出し口が位置するものとなされている。
【００４８】
右端に配置された第３収納部４は、眼鏡、リモートコントローラー、携帯電話等の収納に適している小さな収納部である。
【００４９】
ベッド１００の周りで使用する物品をこれらの収納部２，３，４に収納することで、乱雑になりがちなベッド１００周りを整理することができ、必要な物品をすぐに取り出すことができる。
【００５０】
収納部２，３，４の素材には、例えば、半透明の素材が用いられると、収納した状態のまま取り出すことなく収納した物品が何であるかを認識することができるため好ましいが、これに限定されるものではなく、任意の布帛やメッシュ地等を用いることができる。
【００５１】
サイドレール１０６のフレームを覆うように装着された状態で、カバー本体１ａは、サイドレール１０６の上方の角部を露出させる開口穴部１５が設けられている。
【００５２】
図２，３に示すように、開口穴部１５は、連続して一体に形成された内側部１２と外側部１１との間に跨るようにして、左帯部１３の連設された周辺部位及び右帯部１４の連設された周辺部位が半円状に刳り貫かれて形成されている。
【００５３】
カバー本体１ａは、柵１０３，１０４，１０６に装着された状態で、柵１０３，１０４，１０６の上方の角部を露出させる開口穴部１５が設けられるので、柵１０３，１０４，１０６の角部の形状に影響されることがないため、カバー本体１ａを柵１０３，１０４，１０６に装着させる際により装着させ易い。
【００５４】
また、開口穴部１５が設けられることで柵１０３，１０４，１０６が露出した状態となる部位が生じるので、露出した部位を手すり代わりに使用することができ、布帛などで覆われた部位を手すり代わりに使用する場合と比較して、カバー１がずれて滑るなどする虞が低減して安定して使用することができる。
【００５５】
尚、角部以外の部位、例えば、収納部付ベッド柵用カバー１装着時のサイドレール１０６の上端中央部に該当する部分が刳り貫かれて、サイドレール１０６のフレームが露出するよう開口穴部１５が更に設けられるのであってもよく、開口穴部１５が設けられる箇所やその数については特に限定されるものではない。
【００５６】
カバー本体１ａの装着が容易であるため、柵１０３，１０４，１０６の角部が露出するように開口穴部１５が設けられることが最も好ましいが、本考案に係る収納部付ベッド柵用カバー１は、必ずしも開口穴部１５を角部に設けなければならないものではない。
【００５７】
カバー本体１ａの下端部には、紐からなる連結固定部１６が設けられている。
【００５８】
連結固定部１６は、内側部１２の下端部、及び外側部１１の下端部にそれぞれ所定の間隔で２つずつ縫着されている。
【００５９】
外側部１１の下端部の各連結固定部１６ａは、カバー本体１ａが袋状に形成された際に、内側部１２の下端部の各連結固定部１６ｂと対になる位置に設けられており、内側部１２及び外側部１１でサイドレール１０６を挟んだ状態で、対になる連結固定部１６ａ，１６ｂ同士によって連結されることによって収納部付ベッド柵用カバー１が固定される。
【００６０】
収納部付ベッド柵用カバー１を柵に装着する際、対になる連結固定部１６（１６ａ，１６ｂ）が取付用脚１０５に取付けられることによって、カバー１下端部の開口部１７の一部を閉じて、カバー１がサイドレール１０６から抜け出ないように固定される。
【００６１】
このように、カバー本体１ａは、開口部１７を閉じる連結固定部１６（１６ａ，１６ｂ）を備えるので、カバーが不本意に柵から外れることを防止できる。
【００６２】
（使用方法）
展開状態の収納部付ベッド柵用カバー１は、図４（ａ）〜（ｃ）に示すようにして各部１１，１２，１３，１４のうち、少なくとも左右帯部１３，１４の一部が重なるように折り込まれることによって袋状に形成されて使用される。
【００６３】
まず、右帯部１４が、収納部付ベッド柵用カバー１の裏面側へ向けて折り込まれる。
【００６４】
右帯部１４を裏面側へ向けて折り込んだ状態で、右帯部１４の表面に左帯部１３の端部が重なるようにして、左帯部１３が裏面側へ向けて折り込まれる。
【００６５】
左帯部１３の裏面側角部に設けられた止着部１３１が、重なり部分である右帯部１４の表面側の素材に止着固定される。
【００６６】
左帯部１３及び右帯部１４の端部の一部が止着固定された状態で、更に、内側部１２が裏面側へ向けて折り込まれる。
【００６７】
内側部１２の裏面端部及び裏面中央部に設けられた止着部１２１が、左帯部１３及び右帯部１４の表面側素材に重ねられ止着固定される。
【００６８】
このようにして収納部付ベッド柵用カバー１が、下端部に開口部１７を有した長方形の袋状に形成される。
【００６９】
袋状に形成した収納部付ベッド柵用カバー１は、開口部１７からサイドレール１０６を覆うように被せられる。
【００７０】
サイドレール１０６に収納部付ベッド柵用カバー１を装着することにより、支柱１０７間の隙間が塞がれるため、誤って手や腕を差し入れることが防止できる。
【００７１】
このようにカバー本体１ａは、重なり部分を止着する止着部を備えることにより、止着部１２１，１３１をカバー本体１ａに止着固定させて、袋状の形状が崩れることなく、柵１０３，１０４，１０６に被せるなどして容易にカバー１を装着させることができる。
【００７２】
図示するように、内側部１２及び左右帯部１３，１４の丈が外側部１１の丈よりも短くなるように設定されているので、例えば、サイドレール１０６に収納部付ベッド柵用カバー１を装着した状態で、外側面はサイドレール１０６が深く覆われた状態となり、物品の収納が可能なだけでなく外側面からの目隠しとしても機能する。
【００７３】
一方、内側部１２及び左右帯部１３，１４からなる寝床部１０２側を向いた面となる内側面は、サイドレール１０６を外側面よりも浅く覆った状態となるため、内側部１２及び左右帯部１３，１４の下端部が寝床部１０２に接触するなどすることによってサイドレール１０６の上端まで収納部付ベッド柵用カバー１が被りきらない、或いは、内側部１２及び左右帯部１３，１４の余分な下端部の生地が寝床部１０２に垂れ下がるなどする虞が低減する。
【００７４】
上述のようにしてサイドレール１０６に収納部付ベッド柵用カバー１を被せた後、外側部１１の下端部に設けられた連結固定部１６ａと、当該連結固定部１６ａと対になる内側部１２の下端部に設けられた連結固定部１６ｂとを結んで連結させることで、収納部付ベッド柵用カバー１をサイドレール１０６に確実に固定させる。
【００７５】
連結固定部１６を介して収納部付ベッド柵用カバー１を柵１０３，１０４，１０６に確実に固定させておけば、例えば、使用者が柵１０３，１０４，１０６を手すりとして用いた場合に、収納部付ベッド柵用カバー１のズレを確実に防止することができる。
【００７６】
また、万一、カバー１のみを掴んだ場合であっても、カバー１が柵１０３，１０４，１０６から抜け出て使用者が転倒するなどの問題を未然に防止することができる。
【００７７】
連結固定部１６が紐で構成されることによって、サイドレール１０６など柵の僅かな隙間などを利用して連結固定部１６を取り付けることができ、柵の寸法や支柱１０７などの配置による影響を比較的受け難い。
【００７８】
尚、柵１０３，１０４，１０６の寸法や支柱１０７などの配置による影響を比較的受け難い構成とすることができることから、連結固定部１６が紐で構成されることが好ましいが、これに限定されるものではなく、例えば、面ファスナー、スナップ、ボタン、フックなどの任意の止着部材がベルトなどに設けられて、柵１０３，１０４，１０６から外れないようにカバー本体１ａに取り付けられるのであってもよいし、カバー本体１ａに直接これらの止着部材が取付けられ、袋状に形成されたカバー本体１ａが柵１０３，１０４，１０６から外れないように取り付けられるよう構成されるのであってもよい。
【００７９】
収納部２，３，４の形状は、図示例の上端が開口するものに限定されない。
【００８０】
例えば、カバー本体１ａに収納部用布の上端部と下端部のみを縫着して左右を開口し、横から物品を差し入れるようしても良いし、カバー本体１ａの外面にスリット状差し入れ口を形成し、外面と内面の間に収納部を取り付けても良い。
【００８１】
尚、これらの収納部２，３，４の数や配置箇所、形状は限定されず、任意に設定可能であり、カバー本体１ａの内側面に収納部２，３，４が設けられるのであってもよいし、更にベッド１００の使用に支障がない限り、カバー本体１ａの裏面に収納部２，３，４を設けることも任意である。
【００８２】
上述では、左右帯部１３，１４が外側部１１の左右端部に連接されるように説明したが、内側部１２の左右端部に連設されるのであってもよいし、左右帯部１３，１４が外側部１１及び内側部１２にそれぞれ別々に連設されているのであってもよい。
【００８３】
また、上述したように、外側部１１の丈が一番長くなるように設定されることが好ましいが、全て１１，１２，１３，１４の丈が同じ長さとなるように設定されるのであってもよく、少なくとも袋状に形成することができ、柵１０３，１０４，１０６に覆うように被せて、物品が収納可能な構成であればよい。
【００８４】
上述では、内側部１２が、左帯部１３の一部及び右帯部１４の一部と折り重ねられるように説明したが、内側部１２は必ずしも折り重ねられる必要はなく、少なくとも左帯部１３の端部及び右帯部１４の端部の一部に重なり部分が設けられ、柵１０３，１０４，１０６の寸法に応じて袋状に形成されるのであればよい。
【００８５】
例えば、止着部材としてベルトが用いられる場合には、左帯部１３及び右帯部１４に折り重ならなくても、外側部１１或いは内側部１２と左帯部１３及び右帯部１４とがベルトを介して止着され、各部に設けられたベルト長の範囲において寸法を調整して袋状に形成されるとよい。
【００８６】
上述では、収納部付ベッド柵用カバー１がサイドレール１０６に取り付けられるように説明したが、柵は、ヘッドボード１０３、フットボード１０４、サイドレール１０６のうちのいずれであってもよく、本考案に係る収納部付ベッド柵用カバー１は、ヘッドボード１０３、フットボード１０４、サイドレール１０６のうちのいずれにでも適用可能であり、上述したような効果と同様の効果を奏する。
【００８７】
尚、図示例では介護用ベッド１００への装着例を示したが、本考案のカバー１の装着対象は介護用や療養用ベッドに限定されず、一般のベッドにも任意に適用することができる。
【００８８】
例えば、図５に示すように、収納部付ベッド柵用カバー１は、収納部２，３，４を外面に向けるなどしてベッド３００のヘッドボード３０３に取り付けられるのであってもよい。
【００８９】
以上説明したように、外側部１１と、外側部１１と連続して一体に形成される内側部１２と、外側部１１或いは内側部１２の左端に連続して一体に形成される左帯部１３と、外側部１１或いは内側部１２の右端に連続して一体に形成される右帯部１４と、を有するカバー本体１ａを備え、カバー本体１ａは、その表面側に収納部２，３，４を設け、少なくとも裏面側に折り込んだ左帯部１３の端部の一部と右帯部１４の端部の一部が重なる重なり部分を有し、重なり部分の重なり量が調整され、内側部１２或いは外側部１１が裏面側に折り込まれることによって、カバー本体１ａが下端部に開口部１７を有する袋状に形成され、ベッド１００，３００の寝床部１０２周囲の柵１０３，１０４，１０６，３０３に被せて装着されるので、左帯部１３の端部及び右帯部１４の端部の少なくとも一部に設けられる重なり部分の重なり量を柵１０３，１０４，１０６，３０３の寸法に合わせて調整することによって、柵１０３，１０４，１０６，３０３の左右幅寸法に対応したカバー１を形成することができ、柵１０３，１０４，１０６，３０３の寸法に合わせて都度カバー１を作成する必要がなくなる。
【００９０】
また、カバー本体１ａの表面側に設けられた収納部２，３，４に物品を収納することにより、乱雑になりがちなベッド１００，３００周りを整理することができる。
【００９１】
以上説明した実施形態は、本考案の一例に過ぎず、本考案の作用効果を奏する範囲において具体的構成などを適宜変更設計できることは言うまでもない。
【符号の説明】
【００９２】
１…収納部付ベッド柵用カバー
２…第１収納部(収納部)
３…第２収納部(収納部)
４…第３収納部(収納部)
１１…外側部
１２…内側部
１３…左帯部
１４…右帯部
１５…開口穴部
１６，１６ａ，１６ｂ…連結固定部
１００…ベッド
１０２…寝床部
１０３…ヘッドボード（柵）
１０４…フットボード（柵）
１０６…サイドレール（柵）
１２１，１３１…止着部
【図１】
0003188152.tif 000003
【図２】
0003188152.tif 000004
【図３】
0003188152.tif 000005
【図４】
0003188152.tif 000006
【図５】
0003188152.tif 000007